(57)【要約】【課題】外履用と内履用の靴を一つのケースに収納し得るシューズケースであって、外履用の靴と内履用の靴とが間接的に汚れ等が干渉しあうことのないインアウト・シューズケースを提供する。【解決手段】シューズケースの上面部に靴出入口を設け、該靴出入口が外履用と内履用の左右２つの出入口からなり、その中央部にシューズケース内部を外履用と内履用に分ける仕切り袋であって、該仕切り袋がシューズケースの内側面に合致する膨らみを持たせた袋を備え、両側面部にメッシュ部分を設けてなるインアウト・シューズケース。【選択図】図１
2008229198.tif 000002
【特許請求の範囲】
【請求項１】
シューズケースの上面部に靴出入口を設け、該靴出入口が外履用と内履用の左右２つの出入口からなり、その中央部にシューズケース内部を外履用と内履用に分ける仕切り袋であって、該仕切り袋がシューズケースの内側面に合致する膨らみを持たせた袋を備え、両側面部にメッシュ部分を設けてなるインアウト・シューズケース。
【請求項２】
シューズケースの左右２つの出入口に色の異なる着色ファスナーを設け、シューズケースの両側面部に左右の側面に着色部を設け、左右の着色ファスナーの色と左右の側部の着色部の色とを合致させた請求項１記載のインアウト・シューズケース。
【発明の詳細な説明】
【技術分野】
【０００１】
本発明は、外履用と内履用の靴を一つのケースに収納し得るシューズケースであって、外履用の靴と内履用の靴とが間接的に汚れ等が干渉しあうことのないインアウト・シューズケースを提供するものである。
【背景技術】
【０００２】
従来、この種のシューズケースには、例えば、図１、２に示すように、シューズ等の履物１の収納２と、持ち運び用の把手６、６０と、履物を出し入れするファスナーＦを設けた開口部７０を設けたシューズケースが用いられており、このシューズケースは特許文献１に開示されている。
このような従来の該シューズケースでは、使用者は、開口部７０のファスナーＦを開けて、汚れのないシューズを収納して持ち運び、使用場所でシューズを履いて運動や遊戯をした後、使用により汚れたシューズを再び該シューズケースに収納して持ち運び帰る様にして用いている。
【０００３】
しかるに、汚れたシューズを収納したシューズケースは、それ自体も汚れ、再び汚れのないシューズを収納すると、シューズケースの汚れのために、汚れのないシューズが汚れてしまう場合がある。そのため、汚れのないシューズを収納するシューズケースは、その汚れをきれいに落としてから収納しなければならず面倒で手間がかかった。
さらに、室内スポーツや学校内活動においては、内履用のシューズが使用され、その途中では、外履用シューズが用いられ、これらのシューズを一つのシューズケースに収納すると、外履用シューズの汚れがシューズケース付着し、該汚れが内履用シューズに付着して、間接的に汚れ等が干渉しあってしまうので、シューズケースも外履用と内履用との２つを別個に用意する必要があった。
【０００４】
【特許文献１】実用新案登録第３０２２９５３号公報
【発明の開示】
【発明が解決しようとする課題】
【０００５】
本発明は、上記の従来のシューズケースが持っている問題点、即ち、バスケットボール、バレーボール等の室内スポーツや学校活動で用いる内履用シューズと、体育館や学校に通う際の外履用シューズを一つのケースに収納しても、外履用のシューズと内履用のシューズとが間接的に汚れ等が干渉しあうことのないインアウト・シューズケースの提供を目的とするものである。
【課題を解決するための手段】
【０００６】
上記課題を解決するために、本発明者は鋭意検討を重ねた結果、シューズケースを外履用と内履用のシューズ出入口に分け、同一のシューズケースであるにも関わらず、中央部に設けた仕切り袋が移動することにより、外履用と内履用のシューズがシューズケースを介して間接的に汚れ等が干渉し合うことがないシューズケ−スとなり得ることを見出し、本発明をなすに到った。
即ち、本発明は、  シューズケースの上面部に靴出入口を設け、該靴出入口が外履用と内履用の左右２つの出入口からなり、その中央部にシューズケース内部を外履用と内履用に分ける仕切り袋であって、該仕切り袋がシューズケースの内側面に合致する膨らみを持たせた袋を備え、両側面部にメッシュ部分を設けてなるインアウト・シューズケースである。
また、シューズケースの左右２つの出入口に色の異なる着色ファスナーを設け、シュー
ズケースの側面部に左右の着色部を設け、左右の着色ファスナーの色と左右の側部の着色部の色とを合致させた上記のインアウト・シューズケースである。
【発明の効果】
【０００７】
本発明によれば、外履用と内履用のシューズとを一つのケースに収納しても外履用のシューズと内履用のシューズとがケースを介して間接的に汚れ等が干渉しあうことのないインアウト・シューズケースが提供できた。
【発明を実施するための最良の形態】
【０００８】
以下に、本発明を、具体的に説明する。
図１に本発明のシューズケースの概略図を示す。
図２は本発明のシューズケースの使用態様図を示す。
図３は本発明のシューズケースの断面斜視図である。
図４（ａ）は従来のシューズケースの開口した時の概略図であり、図４（ｂ）は従来のシューズケースにシューズを収納した時の概略図である。
図１の（１）はシューズをに収納するためのシューズケースの本体であり、該部分にシューズを収納する。（２）は把手であり、該把手を手で握って持ち運ぶ。（３）はシューズケースの上面部に設けた左側の出入口であり、（４）は右側の出入口である。出入口にはファスナー等の開閉自在の部材が設けられており、該部材を開いてシューズの出し入れを行い、閉じて持ち運ぶ。
【０００９】
シューズケースには中央部に仕切り袋（５）が備えられている。該仕切り袋は、シューズケースの内部を外履用と内履用に分けるためのものであって、内側面に合致する膨らみを持たせたものである。図２に示す如く、左側の出入口のファスナーを開いてシューズを収納すると、該仕切り袋は右内側面に移動して、シューズを収納し得るスペースを確保してシューズが収納される。また、右側の出入口のファスナーを開いてシューズを収納すると、今度は仕切り袋が左内側面に移動して、シューズを収納し得るスペースを確保してシューズが収納される。即ち、一方の収納部に外履用のシューズを収納し、他方の収納部に内履用のシューズを収納すれば、両収納部は仕切り袋により完全に分離されているから、外履用と内履用のシューズは、シューズケースを介して間接的に接触することはない。
（６）はシューズケースの側面部に設けたメッシュ部分で両側面部に設けられており、シューズの収納時にいずれの出入口の収納部にシューズが収納されているのかをメッシュを通して目視により確認するためのものである。
【００１０】
（７）は側面部に設けた着色部で両側面部に設けられている。該着色部の色は、左側側の色は左ファスナーの色と同じ色であり、右側の色は右ファスナーの色と同じ色に着色されている。即ち、着色部とファスナーの色が対応して、色でシューズが収納されている側を確認することができる。例えば、右側の着色部とファスナーを赤色とし、左側の着色部とファスナーを青色とした場合、使用者は適宜に外履用を赤、内履用を青と定めて、シューズをケースに収納し、取り出し時にメッシュ部分を透視してシューズの収納側を目視にて確認した後、着色部を同じ色のファスナーを開きシューズを取り出すことが出来る。
（８）は把手に設けられたバックルであり、把手を切り離すことによって、該バックルとバッグやリックサックなどのバックルを介して、バッグやリックサックなどと繋げることができる。
本発明のシューズケースの本体は、綿、羊毛、麻等の天然繊維、ナイロン、ポリエステル等の合成繊維からなる織物、編物、不織布などの布帛、天然皮革や合成皮革などから構成され、出入口部の開閉部材は、ファスナー、ホック、ボタン等が用いられ、好ましくは、金属ファスナー、合成樹脂ファスナー、面ファスナーが用いられる。
【図面の簡単な説明】
【００１１】
【図１】本発明のシューズケースの概略図を示す。
【図２】本発明のシューズケースの使用態様図を示す。
【図３】本発明のシューズケースの断面斜視図である。
【図４】（ａ）は従来のシューズケースの開口した時の概略図であり、（ｂ）は従来のシューズケースにシューズを収納した時の概略図である。
【符号の説明】
【００１２】
１  シューズケースの本体
２  把手
３  左側の出入口
４  右側の出入口
５  仕切り袋
６  メッシュ部分
７  着色部分                                                                    ８  把手に設けたバックル
【図１】
2008229198.tif 000003
【図２】
2008229198.tif 000004
【図３】
2008229198.tif 000005
【図４】
2008229198.tif 000006